(57)【要約】【課題】筐体内の収納空間を遮蔽する上下動可能な扉を備えた収納家具において、扉とカウンタウェイトとを接続するワイヤが滑車から脱離することを抑制し、また収納空間の内寸をできるだけ広く確保する。【解決手段】左右両側に対をなす側板の間に物品を収納するための収納空間を内在させている筐体と、前記筐体の収納空間を前方より遮蔽する上下動可能な扉と、前記扉の上下動と相反する方向に上下動する、扉の自重を打ち消すためのカウンタウェイトと、前記扉と前記カウンタウェイトとを接続するワイヤ及びこのワイヤが掛けられる滑車を含み、これらワイヤ及び滑車が前記側板の左右方向の厚みの内に配置される連動機構とを具備する収納家具を構成した。【選択図】図７
2019000236.tif 000002
【特許請求の範囲】
【請求項１】
左右両側に対をなす側板の間に物品を収納するための収納空間を内在させている筐体と、
前記筐体の収納空間を前方より遮蔽する上下動可能な扉と、
前記扉の上下動と相反する方向に上下動する、扉の自重を打ち消すためのカウンタウェイトと、
前記扉と前記カウンタウェイトとを接続するワイヤ及びこのワイヤが掛けられる滑車を含み、これらワイヤ及び滑車が前記側板の左右方向の厚みの内に配置される連動機構と
を具備する収納家具。
【請求項２】
前記ワイヤは、前記扉及び前記カウンタウェイトの各々の上端より上方に伸び、前後方向に延伸する中間部分が、前後方向に沿って配列され左右方向に伸びる軸回りに回動可能な複数個の前記滑車に掛けられている請求項１記載の収納家具。
【請求項３】
前後方向に沿って配列される複数個の前記滑車が単一のブラケットに支持されてユニット化されている請求項２記載の収納家具。
【請求項４】
前記側板は、前端部に内側方に屈曲しその左右幅が当該側板の左右方向の厚みに等しいか略等しい前壁を備え、かつ前壁から後方に離間した位置における内側面に上下方向に伸長し前方を向く前壁を有した補強材が固定されているものであり、
前記扉の外側部に設けられ左右方向に伸びる軸回りに回動可能な車輪が、前記側板の前壁と前記補強材の前壁との間の領域に収められ、その何れかの前壁に接触して転動する請求項１、２または３記載の収納家具。
【請求項５】
前記側板は、前端部に内側方に屈曲しその左右幅が当該側板の左右方向の厚みに等しいか略等しい前壁を備え、かつ前壁から後方に離間した位置における内側面に上下方向に伸長し前方を向く前壁を有した補強材が固定されているものであり、
前記扉の外側部に設けられ前後方向に伸びる軸回りに回動可能な車輪が、前記側板の前壁と前記補強材の前壁との間の領域に収められ、側板の内側面に接触して転動する請求項１、２、３または４記載の収納家具。
【請求項６】
後端部の左右両側に平断面視内側方に開放し上下方向に伸長した溝部が設けられ、前記カウンタウェイトの左右両側端部がそれぞれ左右の溝部の内に挿入されるものであり、カウンタウェイトの左右幅寸法が伸縮可能である請求項１、２、３、４または５記載の収納家具。
【発明の詳細な説明】
【技術分野】
【０００１】
本発明は、物品を収納するために用いられる収納家具に関する。
【背景技術】
【０００２】
例えば、下記特許文献に開示されているような、物品の収納空間を包有する筐体の前方に上下動可能な扉を備えた収納家具が公知である。扉を持ち上げると、筐体内の収納空間のうちの下方の領域が開放され、当該領域に対して物品を出し入れすることができる。一方、扉を引き下げれば、収納空間のうちの上方の領域が開放されて、当該領域に対して物品を出し入れすることが可能となる。
【０００３】
この種の収納家具にあっては、扉の自重と釣り合いをとるための重りであるカウンタウェイトを配することが多い。扉とカウンタウェイトとはワイヤにより接続し、そのワイヤを滑車に掛けることで、扉が上昇するときにカウンタウェイトが下降し、扉が下降するときにはカウンタウェイトが上昇するような連動機構を構成する。このカウンタウェイトの存在により、扉を持ち上げるために必要な操作力が軽減され、また支えを失った扉が急速に落下するようなことも抑止される。
【０００４】
下記特許文献に記載の収納家具では、扉の上端部の左右両側から上方に引き出したワイヤを滑車を介して一旦互いに相寄る内側方に屈曲させ、その後再び滑車を介してワイヤを後方に屈曲させて筐体の背後に控えるカウンタウェイトの近傍まで引き回し、これをカウンタウェイトの上端部の左右両側に結着していた。
【０００５】
しかしながら、このような構造であると、ワイヤに作用する張力により、内側方に伸びるワイヤを後方に向かわせる滑車からワイヤが脱離しやすくなり、また収納家具の組み立ての際にワイヤを滑車に掛けて扉及びカウンタウェイトを配置する作業の手間も増えることとなる。
【先行技術文献】
【特許文献】
【０００６】
【特許文献１】特開平０３−２３６８０５号公報
【発明の概要】
【発明が解決しようとする課題】
【０００７】
本発明は、筐体内の収納空間を遮蔽する上下動可能な扉を備えた収納家具において、扉とカウンタウェイトとを接続するワイヤが滑車から脱離することを抑制し、また収納空間の内寸をできるだけ広く確保することを所期の目的としている。
【課題を解決するための手段】
【０００８】
上述した課題を解決するべく、本発明では、左右両側に対をなす側板の間に物品を収納するための収納空間を内在させている筐体と、前記筐体の収納空間を前方より遮蔽する上下動可能な扉と、前記扉の上下動と相反する方向に上下動する、扉の自重を打ち消すためのカウンタウェイトと、前記扉と前記カウンタウェイトとを接続するワイヤ及びこのワイヤが掛けられる滑車を含み、これらワイヤ及び滑車が前記側板の左右方向の厚みの内に配置される連動機構とを具備する収納家具を構成した。
【０００９】
より具体的には、前記ワイヤは、前記扉及び前記カウンタウェイトの各々の上端より上方に伸び、前後方向に延伸する中間部分が、前後方向に沿って配列され左右方向に伸びる軸回りに回動可能な複数個の前記滑車に掛けられているものとすることが好ましい。
【００１０】
前後方向に沿って配列される複数個の前記滑車が単一のブラケットに支持されてユニット化されているならば、複数個の滑車を収納家具の筐体に取り付ける作業が簡便となる。
【００１１】
前記側板が、前端部に内側方に屈曲しその左右幅が当該側板の左右方向の厚みに等しいか略等しい前壁を備え、かつ前壁から後方に離間した位置における内側面に上下方向に伸長し前方を向く前壁を有した補強材が固定されており、前記扉の外側部に設けられ左右方向に伸びる軸回りに回動可能な車輪が、前記側板の前壁と前記補強材の前壁との間の領域に収められ、その何れかの前壁に接触して転動するものとすれば、シンプルな構造で上下動する扉の前後方向へのぐらつきを抑制することができる。
【００１２】
前記側板が、前端部に内側方に屈曲しその左右幅が当該側板の左右方向の厚みに等しいか略等しい前壁を備え、かつ前壁から後方に離間した位置における内側面に上下方向に伸長し前方を向く前壁を有した補強材が固定されており、前記扉の外側部に設けられ前後方向に伸びる軸回りに回動可能な車輪が、前記側板の前壁と前記補強材の前壁との間の領域に収められ、側板の内側面に接触して転動するものとすれば、シンプルな構造で上下動する扉の左右方向へのぐらつきを抑制することができる。
【００１３】
後端部の左右両側に平断面視内側方に開放し上下方向に伸長した溝部が設けられ、前記カウンタウェイトの左右両側端部がそれぞれ左右の溝部の内に挿入されるものであり、カウンタウェイトの左右幅寸法が伸縮可能であるならば、カウンタウェイトの左右両側端部を左右の溝部の内に挿入する際、一旦カウンタウェイトの幅寸法を縮小した上でこれを左右の溝部の間に配置し、その後カウンタウェイトの幅寸法を再び拡張することでカウンタウェイトの左右の側端部をそれぞれ左右の溝部の内に差し入れることができる。
【発明の効果】
【００１４】
本発明によれば、筐体内の収納空間を遮蔽する上下動可能な扉を備えた収納家具において、扉とカウンタウェイトとを接続するワイヤが滑車から脱離することを抑制し、また収納空間の内寸をできるだけ広く確保することが可能となる。
【図面の簡単な説明】
【００１５】
【図１】本発明の一実施形態の収納家具及び天板付家具の斜視図。
【図２】同実施形態の収納家具の斜視図。
【図３】同実施形態の収納家具の側断面図。
【図４】同実施形態の収納家具の扉のスライダの斜視図。
【図５】同実施形態の収納家具の前方の隅角部を拡大して示す平断面図。
【図６】同実施形態の収納家具の連動機構の斜視図。
【図７】同実施形態の収納家具の平面図。
【図８】同実施形態の収納家具の後端部を示す平断面図。
【発明を実施するための形態】
【００１６】
本発明の一実施形態を、図面を参照して説明する。図１ないし図８に示す本実施形態の収納家具０は、内部に物品を収納可能な収納空間１Ｈ、１Ｌを有する筐体１と、この筐体１の収納空間１Ｈ、１Ｌを遮蔽する上下動可能な扉２と、扉２の自重を打ち消すためのカウンタウェイト３と、カウンタウェイト３が扉２の上下動と相反する方向に上下動するように扉２とカウンタウェイト３とを連動させる連動機構４と、筐体１の後背に取り付けられる化粧パネル５とを具備する。
【００１７】
筐体１内の収納空間１Ｈ、１Ｌは、筐体１の正面側に開放している。図３に示すように、収納空間は、上下方向に沿って複数段の区画１Ｈ、１Ｌに区分されている。本実施形態では、筐体１が上下二段の区画１Ｈ、１Ｌを包有しており、それら区画１Ｈ、１Ｌの境界部位に棚１７が設置される。扉２は、筐体１の直前にあって、収納空間１Ｈ、１Ｌを前方より遮蔽する。扉２の上下寸法は、収納空間の個々の区画１Ｈ、１Ｌの上下方向に沿った内寸に概ね等しい。換言すれば、扉２の上下寸法は、上段の区画１Ｈ及び下段の区画１Ｌを合わせた収納空間全体の上下方向に沿った内寸よりも小さい。つまり、扉２は、収納空間の全ての区画１Ｈ、１Ｌを同時に遮蔽することはなく、一方の区画１Ｈを遮蔽しつつ他方の区画１Ｌを開放する状態と、一方の区画１Ｈを開放しつつ他方の区画１Ｌを遮蔽する状態とを選択的にとり得る。
【００１８】
図１に示しているように、本実施形態の収納家具０は、他の天板付家具、例えば執務用のデスク７とともに使用することができる。その際には、（収納空間１Ｈ、１Ｌが開口しかつ扉２が存在する）筐体１の正面をデスク７の内側方に向けるように配置する。さすれば、デスク７の前に着席した人の側方、その人の手が届き得る場所に筐体１の収納空間１Ｈ、１Ｌを配置することができ、当該人が収納空間１Ｈ、１Ｌに対して物を出し入れすることが容易となる。
【００１９】
加えて、収納家具０の筐体１の上端部には、サブテーブル６が取り付けられることがある。このサブテーブル６は、筐体１の外側方に向かって延伸する。筐体１の上端部はデスク７の天板７１と略同等の高さ位置にあり、筐体１はデスク７の天板７１の直下には入り込まない。一方で、筐体１から突出するサブテーブル６はデスク７の天板７１よりも高位置にあって、デスク７の天板７１の上方の領域に迫り出す。筐体１の上方からデスク７の天板７１上まで延びるこのサブテーブル６は、デスク７の前に着席した人と他の人とがサブテーブル６を挟んでコミュニケーションをとるとき等に好適に活用できる。筐体１から突出したサブテーブル６の下面側には、予めクランプ６１が設けられている。そして、このクランプ６１によりデスク７の天板７１の使用端側及び／または反使用端側の縁部を挟持することで、収納家具０及びサブテーブル６をデスク７の天板７１に結合することが可能となっている。
【００２０】
図２ないし図８に示すように、本実施形態の収納家具０の筐体１は、当該収納家具０の左右両側に対をなす側板１１と、左右の側板１１の下端部同士を連結する底板１２と、左右の側板１１の上端部同士（但し、それらの前端部位のみ）を連結する頂板１３と、左右の側板１１の後端部同士を連結するとともに底板１２の後端部及び頂板１３の後端部を連結する後板１４とによって収納空間１Ｈ、１Ｌを囲繞する、前方に開放した箱状をなしている。
【００２１】
側板１１は、その前端側において、内側方に屈曲することで前後方向を向く面を形成した前壁１１１を備えている。前壁１１１の内側縁部は、後方に屈折し、さらにその後外側方に屈折している。この前壁１１１の左右幅は、側板１１の左右方向の厚みＴに等しいか略等しくなる。
【００２２】
側板１１の前端部における、前壁１１１から後方に離間した位置の内側面には、上下方向に伸長する補強材１１２を固定している。図３及び図５に示すように、補強材１１２は、平断面視外側方に開放したチャネル状をなす基部１１２ａの前後方向を向く前壁１１２ｂ及び後壁１１２ｃの各々から、前方及び後方に向けて接合片１１２ｄ、１１２ｆを延出させた形状をなし、それら接合片１１２ｄ、１１２ｆが側板１１の内側面に接合する。補強材１１２の前壁から前方に延出する接合片１１２ｄは、その前端部で内側方に屈折し、さらにその後前方に屈折している。補強材１１２の接合片１１２ｄにおける内側方に屈折した部位１１２ｅは、側板１１の前壁１１１における外側方に屈折した部位１１１ａと略面一となって、当該部位１１１ａとともに側板１１の前壁１１１の後面を形作る。側板１１の前壁１１１（より詳しくは、側板１１の前壁１１１の部位１１１ａ及び補強材１１２の接合片１１２ｄの部位１１２ｅ）と補強材１１２の前壁１１２ｂとは、前後方向に沿って離間して対向している。これら両者の間の領域には、後述する扉２のスライダ２４が収められる。
【００２３】
また、図８に示すように、側板１１は、その後端側において、内側方に屈曲することで前後方向を向く面を形成した後壁１１３を備えている。後壁１１３の内側縁部は、前方に屈折している。この後壁１１３の左右幅は、側板１１の左右方向の厚みＴよりも小さい。
【００２４】
筐体１内に設置される棚１７は、既知の一般的な棚と同様、側板１１の内側面に装着される棚受１８によりその左右両側部が支持される。この棚１７は、筐体１内部の収納空間を上下二段の区画１Ｈ、１Ｌに隔てる。上段の区画１Ｈに収納される物品は棚１７の上面に載置され、下段の区画１Ｌに収納される物品は底板１２の上面に載置される。底板１２の前端部の上面には、上方に起立する柵１６が設けられており、この柵１６が下段の区画１Ｌに収納された物品の当該区画１Ｌからの脱落を抑制する。
【００２５】
図３及び図５に示しているように、側板１１の内側面における、収納空間の上段の区画１Ｈに面する箇所には、側板１１自体の内側面とこれに接合している補強材１１２の基部１１２ａの内側面との段差を隠蔽するための内装板１５を取り付けることができる。なお、図３では、内装板１５を鎖線で描画するとともに、その取付箇所に網点を付している。内装板１５の存在により、上段の区画１Ｈに対して物品を出し入れするときにその物品が補強材１１２に引っ掛かるようなことがなくなる。取り付けられた内装板１５の前端縁と、側板１１の前壁１１１の後面（より詳しくは、側板１１の前壁１１１の部位１１１ａ及び補強材１１２の接合片１１２ｄの部位１１２ｅ）との間には、後述する扉２のスライダ２４の差入部２４１ｂを通過させる隙間が形成されている。
【００２６】
頂板１３は、その前端部が左右方向に延伸する横木１３１となって、左右の側板１１の上端部の前端部位に接合する。一方で、頂板１３における前端部よりも後方に延出する面板部１３２は、その左右幅寸法が、前端部の左右幅寸法よりも幾分縮小している。これにより、筐体１の左右の側板１１の上端部と、頂板１３の面板部１３２の左右両側端との間が、左右方向に沿って離間することとなる。筐体１の側板１１の上端部と頂板１３の面板部１３２の側端との間隙には、後述する連動機構４のワイヤ４１、滑車４２及びブラケットが配置される。
【００２７】
扉２は、筐体１の前方にあって、上下にスライド移動できるよう筐体１に支持されている。扉２は、正面視方形状をなす平板な扉本体２１と、扉本体２１の上縁に沿って設けられる引手２２と、扉本体２１の上端部に設けられる錠２３と、扉本体２１の左右両側部の後面側に設けられるスライダ２４とを備える。
【００２８】
引手２２は、扉本体２１の前面よりも少しく前方に突出しており、これに手指を掛けて扉２を持ち上げたり引き下げたりする操作を容易に行い得るようになっている。
【００２９】
錠２３は、扉２を上方に位置付けた状態で、即ち筐体１内の収納空間の上段の区画１Ｈを閉鎖しつつ下段の区画１Ｌを開放した状態で、その扉２を筐体１に掛止する施錠の役割を担う。錠２３は、その鍵穴に鍵が挿入されて回動操作されることで、鉤爪型をなすデッドボルト２３１を扉２の上端よりも上方に突出させる。他方、筐体１の頂板１３の前端部１３１の下向面には、錠２３のデッドボルト２３１と係合するストライク（受座）となる係合穴１３３が開設されている。
【００３０】
扉２をその上下動可能な可動範囲の上限まで持ち上げた後、錠２３のデッドボルト２３１を回動操作すると、デッドボルト２３１が扉２の上端より突出して筐体１の係合穴１３３の内に進入し、これに係合する。その結果、扉２がデッドボルト２３１を介して筐体１に係留され、扉２を引き下げる操作が不可能となる、即ち筐体１内の収納空間の上段の区画１Ｈが閉じられたままとなる。収納空間の上段の区画１Ｈを開放したいときには、錠２３のデッドボルト２３１を逆方向に回動操作して、筐体１の係合穴１３３に係合していたデッドボルト２３１を係合穴１３３から抜出させればよい。係合穴１３３から退出したデッドボルト２３１は、扉２の上端よりも下方に没入する。
【００３１】
このように、本実施形態の収納家具０では、筐体１内の収納空間のうちの上段の区画１Ｈを扉２により閉じて施錠することができる。これに対し、収納空間の下段の区画１Ｌは、扉２により閉じることはできるものの、その扉２を不動に施錠することはできない。従って、収納空間の上段の区画１Ｈは、紛失や無断持ち出し等の懸念のある物品、例えばデスク７の前に着席していないときに書類や文具、情報処理端末等を保管しておく用途に適している。翻って、下段の区画１Ｌは、紛失や無断持ち出し等の懸念の小さい物品、例えば今デスク７の前に着席し執務している人の履物等を収納する用途に適している。
【００３２】
スライダ２４は、扉本体２１と筐体１との間に介在し、筐体１に対して上下方向に沿って摺動する。スライダ２４は、扉２の左右に対をなして存在する。図３ないし図５に示すように、スライダ２４は、扉２の外側縁部の後面に固定されるブラケット２４１に、前後方向に伸びる軸回りに回動可能な車輪２４２、及び左右方向に伸びる軸回りに回動可能な車輪２４３を支持させてなるものである。
【００３３】
スライダ２４のブラケット２４１は、左右方向に拡張しかつ上下方向に伸長した接合部２４１ａと、接合部２４１ａの外側端から後方に屈曲した後さらに外側方に屈曲して平断面視略Ｌ字形をなす差入部２４１ｂと、差入部２４１ｂの外側端から後方に屈曲した後片部２４１ｄとを有している。接合部２４１ａは、扉２の左右の側端部の後面に接合する。差入部２４１ｂ及び後片部２４１ｄは、筐体１の側板１１の前壁１１１（より詳しくは、側板１１の前壁１１１の部位１１１ａ及び補強材１１２の接合片１１２ｄの部位１１２ｅ）と補強材１１２の前壁１１２ｂとの間の領域に差し入る。
【００３４】
そして、ブラケット２４１の差入部２４１ｂの上端部及び下端部にそれぞれ、前後方向に伸びる軸回りに回動可能な車輪２４２を装着している。車輪２４２は、差入部２４１ｂにおける前後方向を向く部位の背後に所在する。ブラケット２４１の後片部２４１ｄの上下寸法は差入部２４１ｂの上下寸法よりも縮小しており、車輪２４２は後片部２４１ｄと干渉することなく後片部２４１ｄよりも外側方に突き出している。この車輪２４２は、筐体１の側板１１の前壁１１１と補強材１１２の前壁１１２ｂとの間の領域にあって、側板１１の内側面に接触し、扉２の上下動に伴ってその内側面の上を転動する。
【００３５】
加えて、ブラケット２４１の後片部２４１ｄの上端部及び下端部にそれぞれ、左右方向に伸びる軸回りに回動可能な車輪２４３を装着している。車輪２４３は、後片部２４１ｄの内側に所在する。ブラケット２４１の差入部２４１ｂの前後方向を向く部位には、当該部位を貫通する貫通窓２４１ｃが形成されており、車輪２４３はこの貫通窓２４１ｃを通じて差入部２４１ｂと干渉することなく差入部２４１ｂの前後方向を向く部位の前面から前方に突き出している。この車輪２４３は、筐体１の側板１１の前壁１１１と補強材１１２の前壁１１２ｂとの間の領域にあって、側板１１の前壁１１１の後面（より詳しくは、側板１１の前壁１１１における外側方に屈折した部位１１１ａの後面、及び／または、補強材１１２の接合片１１２ｄにおける内側方に屈折した部位１１２ｅの後面）に接触し、扉２の上下動に伴ってその後面の上を転動する。
【００３６】
図４に示しているように、ブラケット２４１の差入部２４１ｂにおける前後方向を向く部位、後片部２４１ｄ、及びブラケット２４１に支持される車輪２４２、２４３は、筐体１の側板１１の左右方向の厚みＴの内に配置される。
【００３７】
図３、図７及び図８に示すように、扉２の自重との釣り合いをとるためのカウンタウェイト３は、筐体１内の収納空間１Ｈ、１Ｌを隔てて扉２の後方、そして筐体１の後板１４の背後に控えている。その全体形状としては、上下及び左右に拡張した正面視方形状をなす薄板体である。カウンタウェイト３の重量は、扉２の重量と略等しいが、扉２よりも軽くてもよく、あるいは扉２よりも重くても構わない。
【００３８】
他方、収納空間１Ｈ、１Ｌを後方から遮蔽する後板１４は、側板１１の後壁１１３（さらには、後壁１１３における前方に屈曲した内側縁部の前端）よりも少しく前方に偏倚している。換言すれば、側板１１の後端が後板１４よりも後方に突き出している。これにより、後板１４の左右の側端部と左右の側板１１の後壁１１３との間にそれぞれ、平断面視内側方に開放し上下方向に伸長した溝部が形成されることとなる。この溝部は、後板１４の側端部、側板１１の後端部及び後壁１１３により三方から囲まれる。その上で、カウンタウェイト３の左右の側端部が、筐体１の左右に所在する上記の溝部に各々収容され、溝部内で上下方向に沿って移動することとなる。
【００３９】
カウンタウェイト３は、その左右幅寸法を伸縮させることができる。本実施形態では、カウンタウェイト３を、左右方向に沿って複数の部分３１、３２に分割しており、一方の部分３１を他方の部分３２に向かって内側方に寄せる、即ち一方の部分３１と他方の部分３２との重なり合いを大きくすることで、カウンタウェイト３の左右幅を縮小することが可能である。カウンタウェイト３の左右の側端部を筐体１の後端部の左右の溝部に挿入するに際しては、予めカウンタウェイト３の左右幅を縮小した状態でこれを筐体１の左右の溝部の間に位置付け、しかる後カウンタウェイト３の左右幅を伸長させてその側端部を溝部内に（内側方から外側方に向かって）差し入れる。そして、カウンタウェイト３の左右幅を伸長させた状態に維持するべく、カウンタウェイト３の一方の部分３１と他方の部分３２との重なり合う部位にビスその他の止着具３３を螺着または挿入して、一方の部分３１と他方の部分３２との相対移動を禁止する。カウンタウェイト３の左右幅を伸長させた状態では、当該カウンタウェイト３の左右幅寸法は、扉２の左右幅寸法に略匹敵する。
【００４０】
化粧パネル５は、筐体１の後板１４及びカウンタウェイト３の後背に配置され、それら後板１４及びカウンタウェイト３を後方から隠蔽する。化粧パネル５は、筐体１に対して脱着可能となっている。具体的には、図３に示しているように、化粧パネル５の上端部及び下端部に設けられ前面側に突出する係合爪５１、５２を、筐体１の後端近傍に形成された上下の爪受け１３４、１１２に係合させることにより、化粧パネル５を後板１４に係留する。なお、ビスやプッシュリベット等の止着具５３を使用して、化粧パネル５を筐体１に固定するようにしても構わない。
【００４１】
扉２の上下動とカウンタウェイト３の上下動とを連動させる連動機構４は、収納家具０の左右両側に対をなして存在する。図３、図６及び図７に示すように、各連動機構４はそれぞれ、扉２とカウンタウェイト３とを接続するワイヤ４１と、ワイヤ４１が掛けられる複数個の滑車４２と、それら複数個の滑車４２を支持するブラケット４３とを要素とする。
【００４２】
収納家具０の右側に配される連動機構４において、ワイヤ４１は、その前端側が扉２の上端部における右側端の部位、特に扉２の後面側に固定された右側のスライダ２４のブラケット２４１に結着されるとともに、その後端側がカウンタウェイト３の上端部における右側端の部位に結着される。
【００４３】
滑車４２は、収納家具０の右側部にあって、前後方向に間欠的に配置される。これら滑車４２は、左右方向に伸びる軸回りに回動するものとなっている。配列された複数個の滑車４２のうちの最前方の滑車４２は、扉２の右側のスライダ２４の直上に位置しており、当該スライダ２４のブラケット２４１から直上に伸びるワイヤ４１が前方及び上方から巻き掛けられる。そのワイヤ４１は、当該滑車４２を介して後方に向きを変える。また、最後方の滑車４２は、カウンタウェイト３の右側端部の直上に位置しており、カウンタウェイト３の右側端部から直上に伸びるワイヤ４１が後方及び上方から巻きかけられる。そのワイヤ４１は、当該滑車４２を介して前方に向きを変える。そして、それら滑車４２の間に所在する中間の滑車４２には、前後方向に沿って延伸するワイヤ４１の中間部が下方から掛けられる。換言すれば、中間の滑車４２は、ワイヤ４１の中間部を上方から押さえつける。
【００４４】
これら複数個の滑車４２は、同一のブラケット４３に支持され、当該ブラケット４３とともにユニット化されている。収納家具０の右側の連動機構４のブラケット４３は、前後方向に伸長した水平片部４３１と、水平片部４３１の外側端即ち右側端から下方に屈曲した起立片部４３３と、水平片部４３１の内側端即ち右側端から下方に屈曲した後さらに内側方に屈曲して正面視略Ｌ字形をなす被支持部４３４とを有している。複数個の滑車４２はそれぞれ、ブラケット４３の起立片部４３３の前端部、中間部及び後端部に回動可能に装着する。ブラケット４３の水平片部４３１の前後寸法は起立片部４３３の前後寸法よりも縮小しており、起立片部４３３の前端部に装着した最前方の滑車４２の前方及び上方は開放し、起立片部４３３の後端部に装着した最後方の滑車４２の上方及び後方も開放している。また、起立片部４３３の中間部に装着した中間の滑車４２の下方も開放している。水平片部４３１の中間部、中間の滑車４２に上方から臨む部位には、当該部位を貫通する貫通窓４３２が形成されており、中間の滑車４２が水平片部４３１と干渉することはない。
【００４５】
収納家具０の左側に配される連動機構４のワイヤ４１、滑車４２及びブラケット４３は、収納家具０の右側に配される連動機構４のそれらと左右対称の構成を有している。即ち、収納家具０の左側の連動機構４におけるワイヤ４１は、その前端側が扉２の上端部における左側端の部位、特に扉２の後面側に固定された左側のスライダ２４のブラケット２４１に結着されるとともに、その後端側がカウンタウェイト３の上端部における左側端の部位に結着される。
【００４６】
滑車４２は、収納家具０の左側部にあって、前後方向に間欠的に配置される。これら滑車４２は、左右方向に伸びる軸回りに回動する。配列された複数個の滑車４２のうちの最前方の滑車４２は、扉２の左側のスライダ２４の直上に位置しており、当該スライダ２４のブラケット２４１から直上に伸びるワイヤ４１が前方及び上方から巻き掛けられる。また、最後方の滑車４２は、カウンタウェイト３の左側端部の直上に位置しており、カウンタウェイト３の左側端部から直上に伸びるワイヤ４１が後方及び上方から巻きかけられる。そして、それら滑車４２の間に所在する中間の滑車４２には、前後方向に沿って延伸するワイヤ４１の中間部が下方から掛けられる。
【００４７】
これら複数個の滑車４２は、同一のブラケット４３に支持され、当該ブラケット４３とともにユニット化されている。収納家具０の左側の連動機構４のブラケットもまた、前後方向に伸長した水平片部４３１と、水平片部４３１の外側端即ち左側端から下方に屈曲した起立片部４３３と、水平片部４３１の内側端即ち左側端から下方に屈曲した後さらに内側方に屈曲して正面視略Ｌ字形をなす被支持部４３４とを有している。複数個の滑車４２はそれぞれ、ブラケットの起立片部４３３の前端部、中間部及び後端部に回動可能に装着する。ブラケットの水平片部４３１の前後寸法は起立片部４３３の前後寸法よりも縮小しており、起立片部４３３の前端部に装着した最前方の滑車４２の前方及び上方は開放し、起立片部４３３の後端部に装着した最後方の滑車４２の上方及び後方も開放している。また、また、起立片部４３３の中間部に装着した中間の滑車４２の下方も開放している。水平片部４３１の中間部、中間の滑車４２に上方から臨む部位には、当該部位を貫通する貫通窓４３２が形成されており、中間の滑車４２が水平片部４３１と干渉することはない。
【００４８】
既に述べた通り、筐体１の左右の側板１１の上端部と、頂板１３の面板部１３２の左右の側端とは、幾分離間している。収納家具０の左側に配される連動機構４のブラケットは、その被支持部４３４が頂板１３の面板部１３２の左側端部に固定されることで、面板部１３２により支持される。そして、左側の連動機構４のワイヤ４１、滑車４２並びにブラケットの起立片部４３３及び水平片部４３１は、左側の側板１１の上端部と頂板１３の面板部１３２の左側端との間隙に収まる。図７に示しているように、これらワイヤ４１及び滑車４２は、左側の側板１１の左右方向の厚みＴの内に配置される。
【００４９】
収納家具０の右側に配される連動機構４のブラケットは、その被支持部４３４が頂板１３の面板部１３２の右側端部に固定されることで、面板部１３２により支持される。そして、右側の連動機構４のワイヤ４１、滑車４２並びにブラケットの起立片部４３３及び水平片部４３１は、右側の側板１１の上端部と頂板１３の面板部１３２の右側端との間隙に収まる。これらワイヤ４１及び滑車４２は、右側の側板１１の左右方向の厚みＴの内に配置される。
【００５０】
本実施形態では、左右両側に対をなす側板１１の間に物品を収納するための収納空間１Ｈ、１Ｌを内在させている筐体１と、前記筐体１の収納空間１Ｈ、１Ｌを前方より遮蔽する上下動可能な扉２と、前記扉２の上下動と相反する方向に上下動する、扉２の自重を打ち消すためのカウンタウェイト３と、前記扉２と前記カウンタウェイト３とを接続するワイヤ４１及びこのワイヤ４１が掛けられる滑車４２を含み、これらワイヤ４１及び滑車４２が前記側板１１の左右方向の厚みＴの内に配置される連動機構４とを具備する収納家具０を構成した。
【００５１】
本実施形態によれば、連動機構４の要素である複数個の滑車４２が前後方向に配列されるとともに、それら滑車４２に掛けられるワイヤ４１が前後方向に伸長し、最前方の滑車４２から鉛直下方に垂下して扉２の側端部に結着され、かつ最後方の滑車４２から鉛直下方に垂下してカウンタウェイト３の側端部に結着される。従って、ワイヤ４１に作用する張力によりこのワイヤ４１が滑車４２から脱離することが抑制される。その上で、ワイヤ４１及び滑車４２を筐体１の側板１１の左右方向の厚みＴの内に配置しているため、筐体１内部の収納空間１Ｈ、１Ｌの左右方向の内寸が広く確保される。
【００５２】
前記ワイヤ４１は、前記扉２及び前記カウンタウェイト３の各々の上端より上方に伸び、前後方向に延伸する中間部分が、前後方向に沿って配列され左右方向に伸びる軸回りに回動可能な複数個の前記滑車４２に掛けられており、ワイヤ４１が滑車４２からさらに脱離しにくくなっている。
【００５３】
前後方向に沿って配列される複数個の前記滑車４２は、単一のブラケット４３に支持されてユニット化されていることから、それら複数個の滑車４２を収納家具０の筐体１に対して簡便に取り付けることができ、その取り外しも容易となる。
【００５４】
前記側板１１が、前端部に内側方に屈曲しその左右幅が当該側板１１の左右方向の厚みＴに等しいか略等しい前壁１１１を備え、かつ前壁１１１から後方に離間した位置における内側面に上下方向に伸長し前方を向く前壁１１２ｂを有した補強材１１２が固定されているものであり、前記扉２の外側部に設けられ左右方向に伸びる軸回りに回動可能な車輪２４２が、前記側板１１の前壁１１１と前記補強材１１２の前壁１１２ｂとの間の領域に収められ、側板１１の前壁１１１（の後面。より詳しくは、側板１１の前壁１１１における外側方に屈折した部位１１１ａの後面、及び／または、補強材１１２の接合片１１２ｄにおける内側方に屈折した部位１１２ｅの後面）に接触して転動するため、簡便で低コストな構造で、上下動する扉２の前後方向へのぐらつきを抑制することができる。そして、高価なサスペンションレールを採用せずに済む。
【００５５】
さらに、前記扉２の外側部に設けられ前後方向に伸びる軸回りに回動可能な車輪２４３が、前記側板１１の前壁１１１と前記補強材１１２の前壁１１２ｂとの間の領域に収められ、側板１１の内側面に接触して転動するため、簡便で低コストな構造で、上下動する扉２の左右方向へのぐらつきを抑制することができる。
【００５６】
加えて、収納家具０の後端部の左右両側に平断面視内側方に開放し上下方向に伸長した溝部が設けられ、前記カウンタウェイト３の左右両側端部がそれぞれ左右の溝部の内に挿入されるものであって、カウンタウェイト３の左右幅寸法が伸縮可能であるため、当該収納家具０の後端部にカウンタウェイト３を配置する作業がより容易となる。
【００５７】
なお、本発明は以上に詳述した実施形態に限られるものではない。例えば、上記実施形態では、扉２の外側部に設けられ左右方向に伸びる軸回りに回動可能な車輪２４３が、側板１１の前壁１１１の後面に接触して転動するものであったが、この車輪２４３が、側板１１の前壁１１１に対向する補強材１１２の前壁１１２ｂの前面に接触して転動する構造とすることを妨げない。
【００５８】
その他、各部の具体的構成は、本発明の趣旨を逸脱しない範囲で種々変形が可能である。
【産業上の利用可能性】
【００５９】
本発明は、物品を収納するために用いられる収納家具に適用できる。
【符号の説明】
【００６０】
０…収納家具
１…筐体
１１…側板
１１１…側板の前壁
１１２…補強材
１１２ｂ…補強材の前壁
１Ｈ、１Ｌ…収納空間
２…扉
２４２…前後方向に伸びる軸回りに回動可能な車輪
２４３…左右方向に伸びる軸回りに回動可能な車輪
３…カウンタウェイト
４…連動機構
４１…ワイヤ
４２…滑車
４３…ブラケット
Ｔ…筐体の側板の左右方向の厚み
【図１】
2019000236.tif 000003
【図２】
2019000236.tif 000004
【図３】
2019000236.tif 000005
【図４】
2019000236.tif 000006
【図５】
2019000236.tif 000007
【図６】
2019000236.tif 000008
【図７】
2019000236.tif 000009
【図８】
2019000236.tif 000010